(57)【要約】【課題】  免許証などカードの厚みをスマなどのカメラで撮影するのは困難であった。【解決手段】  免許証等を指でつまんだ画像を横から取るように端末から指示し、端末もしくはサーバに設置された画像判定手段は、カードの両端にある肌色を検出することにより、カードの厚みを計測し、同時にカードの縦の長さを計測し、長さは規格で決められていることから、相対的な厚み幅を算出する。カードが斜めになっていたとしても、端末からカードを左右に回してくださいとし、最もカード幅が薄くなったところを正面として判定する。【特許請求の範囲】
【請求項１】
サーバおよびもしくは端末上に実装される電子認証手法
【発明の詳細な説明】
【技術分野】  電子的本人認証の技術分野に属する。
【発明の概要】
【発明が解決しようとする課題】  免許証などカードの厚みをスマなどのカメラで撮影するのは困難であった。  クレジットカードはハードの読み取り装置が必要、もしくはＱＲ決済アプリは客がＱＲアプリをインストールする手間があった。  ＱＲ決済はＩＤ／パスワードが盗まれると不正利用されたり、家族間で使いまわされる課題があった。飲食店などにあるオーダー用のタブレットは使いづらい課題があった。  航空会社のチケットで使い捨てられた半券を拾い集め、自己のチケットＩＤに紐付け、親戚登録し、マイルを不正に集められる課題や、電子診察券などでスマホのアプリを利用する場合、なりすましの課題があったネットバンクの認証に三要素認証（記憶認証、所有物認証、生体認証）ができなかった。  ネットバンクの取引認証を所有物認証なしで実現できなかった。端末利用者が生体であるか判定が困難であった。  ＡＴＭの維持コストは巨額になる課題があった。  ＱＲ決済はスマホの電源がなくなると使えない課題があった。  ＱＲ決済ビジネスは多額の営業費用がかかる課題があった。  ＱＲ決済は、客のアプリの立ち上げなど、ＳＵＩＣＡ等非接触ＩＣカード決済に比べ利便性が低い課題があった。
【課題を解決するための手段】  免許証等を指でつまんだ画像を横から取るように端末から指示し、端末もしくはサーバに設置された画像判定手段は、カードの両端にある肌色を検出することにより、カードの厚みを計測し、同時にカードの縦の長さを計測し、長さは規格で決められていることから、相対的な厚み幅を算出する。カードが斜めになっていたとしても、端末からカードを左右に回してくださいとし、最もカード幅が薄くなったところを正面として判定する。  店のスマホで客のクレジットカードを撮影すると、カード番号を画像処理で読み取り、客は店員のスマホにセキュアコードを入れ、店のスマホはインターネット接続し、ＥＣ決済をする。キャッシュカードの場合は自動引落サーバに接続する。  初期登録時、顔写真を登録し、決済時、店の端末に顔写真を表示することにより、店員は目の前の人が本人かどうか判定でき、たとえＩＤ／パスワードが盗まれても、もしくは家族で使いまわされても、不正を検知できる。従来の紙などのメニューの各商品名（ラーメンなど）の横にＱＲコードをシールを貼るなどし、ＱＲには例えば、店ＩＤ、商品ＩＤ、テーブルＩＤなどの情報を含め、テーブルについた客は各々、自分のスマホでＱＲを撮影し、スマホはサーバにアクセスし、商品名と数量選択ボタンと決済ボタンを表示し、数量選択すると、店端末にオーダーが入り、決済ボタンを押すと、テーブルＩＤで合算した合計額が、任意の決済手段（ＥＣ決済など）で会計ができる。  チケット購入時やスマホを用いて個人証明する時など、顔写真登録をし、親戚登録時、親戚の顔写真とダミーの顔写真を例えば１０個ほど表示し、親戚を選ばせることにより防止。  カード型などの指紋認証デバイスに、特許第６００５８９０号の画像乱数表を表示するディスプレイを設け、利用時、ＰＣやスマホからネットバンクにアクセスし、パスワードを入力し記憶認証をし、カードの指紋認証により生体認証をすると、画像乱数表が表示され、特許第６００５８９０号の手法により、本人認証もしくは取引認証を行う。もしくは画像乱数表を設置せず、テンキーを配置し、送金先講座番号を入力し、ハッシュなどカード個別の計算処理がなされ、その結果をカードのディスプレイに表示し、それをＰＣ／スマホに入力する、もしくは時刻同期型のワンタイムパスワードを表示することにより、取引認証／本人認証を行う。  初期登録時、利用者の顔および／もしくは声紋を登録し、ネットバンク送金時、利用者に送金先口座番号の一部を読み上げるように支持し、顔および／もしくは声紋が一致し、ただしい番号を読み上げていれば送金を行う。スマホの画面に動くポインタなどを表示し、カメラから利用者の目がそれを追いかけるように動くかを判定する、もしくは面白い画像や赤ちゃんの画像を表示して笑うか、瞳孔が開くかなどを判定し、生体かどうかを判定する。  動画の変化値が滑らかになっているか、背景が唐突に変わっていないかを判定して防止する。  スマホから利用者に指示を出し、顔を移しながら、手を上下左右にし、背景画像や顔が正しく変化するか判定する。
客が店に行き、ＱＲ決済、もしくはネットバンクでの振込、クレジットカードやデビットカードなどの支払い手段で、店で決済／送金を行い、その決済額を現金で店から客に手渡すことにより、擬似的なＡＴＭを実現し、またレジの現金がなくなる場合は、店が本発明システム管理者などに連絡し、現金書留で郵送してもらうことにより解決し、また決済時に仮想通貨を販売したことにより物販の形式をとることにより、銀行法の為替取引問題を回避しする。  スマホの裏面などにシールなど印刷されたＱＲを貼り、これを店の読取り装置で読み取ることにより決済し、ＱＲが写真などで盗られた時の対策として、一定額以上の利用や、いつも使わない場所での利用時に、ＳＭＳやアプリを利用して、利用者のスマホに承諾通知を入れるか、店の端末に客の顔を表示して店に確認させるか、顔認証を利用して解決すし、またネットバンク利用の利便性向上のため、店はレジの横などに店の銀行口座番号を手書きなどで掲示し、客はアプリでこれを読み、文字認識をすることにより利便性の向上を行う。  ＱＲ決済などに既に加入している客は、未加入店に対して客のＩＤを紹介者ＩＤとして勧誘し、店が加入すると、そこでの他の客のＱＲ決済額の一部を客にキックバックする、もしくは逆に、加入店が未加入客を発見すると、店のＩＤで客に新規加入してもらい、客が他の店などで利用した決済額の一部を店にキックバックする  客が自己のスマホの電源ボタンを押すと、スマホは待受画面を表示し、そこに決済用のＱＲを表示し、これを店端末に読み取らせることにより、ほぼタッチアンドゴーの利便性を実現し、非利用時にスマホはサーバに定期的などにネット接続して、新しいＱＲパターンを受信することにより、不正利用を防止すると同時に、利用時の客スマホの通信を不要化し高速決済を実現する。
【発明の効果】  免許などの厚みが勘弁に計測できる。  ハード不要のクレジットカードリーダ／デビットカードリーダとなる。  顔写真確認によりＱＲの安全性を勘弁に強化できる。紙メニューとタブレットメニューの両方のメリットを享受できる。  不正者は親戚の顔写真を選べないので不正マイル収集を防止でき、電子診察券などスマホが本人認証カードのように利用できる。三要素認証が可能となる。  生体認証のみで取引認証が行える。  人間の反射的反応を検知して生体かどうかを判定できる。動画の切り貼りが防止できる。ディスプレイに表示した窃盗画像／動画でだと正しく変化しないので不正検知ができる。  ＡＴＭ維持費を下げることができる。シールのＱＲにより電池切れでもＱＲ決済や本人認証が利用できる。  アフィリエイト的手法を用いて、低コストで利用者拡大を行える。  待受画面にＱＲを表示することにより、非接触ＩＣカード決済と同等の利便性を実現する。